(57)【要約】【課題】指紋を情報化するだけであるため照合手段を紛失する心配が無く、また容易に指紋情報を得ることができる個人識別装置を提供すること。【解決手段】個人の指紋の読み取り手段Ａ１と、前記指紋情報及び／又は個人情報もしくは属性情報を二次元バーコード形式に変換する手段Ｂ１と、前記二次元バーコードの印刷手段Ｃ１と、照合対象物に貼り付けた二次元バーコードラベルの読み取り手段Ｄ１と、個人の指紋と照合対象物に貼り付けた二次元バーコード化された指紋情報の照合手段Ｅ１と、前記指紋の照合結果の印刷手段Ｆ１からなる個人識別装置（１）。【選択図】図１
2004199157.tif 000002
【特許請求の範囲】
【請求項１】
個人の指紋の読み取り手段Ａ１と、前記指紋情報及び／又は個人情報もしくは属性情報を二次元バーコード形式に変換する手段Ｂ１と、前記二次元バーコードの印刷手段Ｃ１と、照合対象物に貼り付けた二次元バーコードラベルの読み取り手段Ｄ１と、個人の指紋と照合対象物に貼り付けた二次元バーコード化された指紋情報の照合手段Ｅ１と、前記指紋の照合結果の印刷手段Ｆ１からなることを特徴とする個人識別装置（１）。
【請求項２】
前記指紋情報を二次元バーコード形式に変換する手段Ｂ１が装置本体（１１）であり、
前記個人の指紋の読み取り手段Ａ１及び該個人の指紋と照合対象物に貼り付けた二次元バーコード化された指紋情報の照合手段Ｅ１が指紋照合ユニット（２１）であり、
前記二次元バーコードの印刷手段Ｃ１及び前記指紋の照合の印刷手段Ｆ１がラベルプリンタ（４１）であることを特徴とする請求項１に記載の個人識別装置（１）。
【請求項３】
装置本体（１１）と指紋照合ユニット（２１）と、前記装置本体（１１）に接続されるラベルプリンタ（４１）と、前記装置本体（１１）と前記作業管理用データベース（５１）を接続する本体接続器具（３１）と、作業管理用データベース（５１）とから構成されることを特徴とする個人識別装置（１）。
【請求項４】
前記装置本体（１１）は、コードスキャナ（１２）、表示部（１３）、記憶部（１４）、バッテリー（二次電池）（１５）、通信用部材（１６）を内蔵することを特徴とする請求項３に記載の個人識別装置（１）。
【請求項５】
前記指紋照合ユニット（２１）及び／又はラベルプリンタ（４１）は、バッテリー（二次電池）（２５、４５）を内蔵することを特徴とする請求項３ないし請求項４に記載の個人識別装置（１）。
【請求項６】
前記ラベルプリンタ（４１）及び／又は前記作業管理用データベース（５１）は、通信用部材（４６、５６）を内蔵することを特徴とする請求項３ないし請求項５に記載の個人識別装置（１）。
【請求項７】
個人の指紋の読み取り手段Ａ２と、前記指紋情報及び／又は個人情報等の属性からなる情報の入力手段Ｂ２と、情報記憶媒体に前記情報を書き込む手段Ｃ２と、情報記憶媒体或いは情報記憶媒体を貼り付けた照合対象物そのものに個人情報を文字及び／又は印で印字する手段Ｄ２と、照合対象物に貼り付けた情報記憶媒体の前記情報を読み取る手段Ｅ２と、個人の指紋と照合対象物に貼り付けた情報記憶媒体の前記情報を照合する手段Ｆ２と、前記情報の照合結果の印字手段Ｇ２と、前記手段Ａ２からＧ２の制御手段Ｈ２からなることを特徴とする個人識別装置（１０１）。
【請求項８】
前記手段Ａ２からＨ２の作業記録管理手段Ｉ２を有することを特徴とする請求項７に記載の個人識別装置（１０１）。
【請求項９】
前記情報の入力手段Ｂ２と前記手段Ａ２からＧ２の制御手段Ｈ２が装置本体（１１１）であり、
個人の指紋の読み取り手段Ａ２及び、該情報と照合対象物に貼り付けた情報記憶媒体の指紋情報を照合する手段Ｆ２が指紋照合ユニット（１２１）であり、
前記情報を情報記憶媒体に書き込む手段Ｃ２及び、情報記憶媒体から前記情報を読み取る手段Ｅ２がリーダ／ライタ（１８１）であり、前記情報を印字する手段Ｄ２及び、前記指紋の照合結果の印字手段Ｇ２がマーカー（１４１）であることを特徴とする請求項７ないし請求項８に記載の個人識別装置（１０１）。
【請求項１０】
装置本体（１１１）と指紋照合ユニット（１２１）と、前記装置本体（１１１）に接続されるマーカー（１４１）と、前記装置本体（１１１）と前記作業管理用データベース（１５１）を接続する本体接続器具（１３１）と、前記装置本体（１１１）と指紋照合ユニット（１２１）に接続されるリーダ／ライタ（１８１）とから構成される、ことを特徴とする個人識別装置（１０１）。
【請求項１１】
作業管理用データベース（１５１）に接続した、請求項１０に記載の個人識別装置（１０１）。
【請求項１２】
前記装置本体（１１１）は、表示部（１１３）、記憶部（１１４）、バッテリー（二次電池）（１１５）、通信用部材（１１６）を内蔵することを特徴とする請求項９に記載の個人識別装置（１０１）。
【発明の詳細な説明】
【０００１】
【発明の属する技術分野】
本発明は、コンピュータが個人の生体から得られる特徴をその個人の情報として読み取る手段を有し、読み取った情報をバーコード形式にしてシールラベルに印刷して個人の動的資産に貼付することで、個人の資産を営利的、若しくはサービスとして預かる第三者が、個人の資産を謝って他者に渡してしまうことを防ぐことのできる個人識別装置である。▲１▼本発明の個人識別装置は、例えば▲１▼ホテルや空港、ゴルフ場など荷物、鍵、貴重品類を預ける場所。（スポーツジム、パーティ会場）、▲２▼クリーニング店、家電修理店、時計店など、個人の資産を一時的に預ける場所、▲３▼貸倉庫（貸しコンテナ）など比較的長時間物を預けることが出来る場所等で使用することができる。
本発明は、二次元バーコード化した個人データを識別する個人識別装置の改良に関するものであり、全体的に小型化して携帯できるようにした個人識別装置である。
また本発明は例えば指紋照合ユニット等のセンサーによって個人の指紋を読み取り、個人の属性や作業日時、登録した指などの情報と共に二次元バーコード形式にして、個人と照合対象物（例えば個人からの預物等）に貼付した後、再び指紋と照合する作業を改善する発明に関するものである。
また本発明の個人識別装置は、ＲＦＩＤ（Radio Frequency Identification）非接触型個人認証システムを利用した個人識別装置であって、電気的接触を行わずに、半導体メモリーやフラッシュメモリー等の記憶素子に対して無線による情報の書き込み／読み取りを行う個人識別装置である。さらに詳述すれば本発明の個人識別装置はコンピュータが個人の生体組織（またはその一部）をその個人の特徴として捉え、個人の氏名、年齢などの属性と共にした情報を照合対象物（例えば個人からの預物等）に貼付する情報記憶媒体として、電気的接触部が無く、前記情報の書き込み／読み取りを無線にて行うものである。さらに駆動電力も情報を書き込み／読み取りを行う機器（例えばリーダ／ライタ）により書き込み／読み取り作業時に例えば電磁誘導等によって非接触で供給を行うことができるラジオＩＣメモリー（例えばＥＰＲＯＭやＥＥＰＲＯＭなどの半導体メモリー）やフラッシュメモリー等の記憶素子を採用するものである。なお本発明は半導体メモリーやフラッシュメモリー等の記憶素子と同等の機能を有する記憶素子であれば何でも利用することができる。
【０００２】
【従来の技術及び発明が解決しようとする課題】
例えば、空港の手荷物預け所やクリーニング店では、預ける物品に対して数字やアルファベットなどの符号またはバーコードが記載されたシールを貼り付け、預ける個人に対しても同じ内容の符号が書かれたカードが手渡される。個人が預けた物品を受け取る際には、符号の書かれたカードを渡し、引き渡しを担当する者が物品のシールの符号と、個人の所有していたカードの符号の内容を照合し内容が一致していれば、物品は個人の物であることが証明されるため、個人に手渡される。
しかし、物品を預けた個人が符号の書かれたカードを紛失してしまった場合は、例え他に物品を受け取る物が存在しなくても個人の物品であることを証明することは、まず不可能である。
多くの場合、証明手段を無くした個人は、自分の身分や所在を証明する物を提示したり、荷物である場合は、内容物を全て開示するなどして確認を行う者に対して信憑性を抱かせる必要が生じる。
例えば特許文献１には「ホストコンピュータ４（コンピュータ／インターフェイスユニット３０）と該ホストコンピュータ４に個人識別データを読み込む個人識別データ読取器８、９（光学指紋読み取り器２０）と個人識別データを印刷するラベルプリンタ７（ラベル印刷器７０）と、個人識別データを印刷したラベルを読み取るラベル読取器６（指紋読み取り器：ライトペン）を有する識別装置」、特許文献２には「個人の同一性が確定又は未確定の照合結果を表示する結果表示器７」を具えている装置」が開示されているが、これらの装置は個人の情報と指紋の情報をホストコンピュータに蓄積し、ホストコンピュータに蓄積されている個人情報が本人のものであることを証明するために、蓄積されている指紋情報と個人の指紋を照合するものである。つまり、多数の物の中から個人の物を検索する装置であり、本発明のように対象の物が個人の物であることを証明する一対一の照合を行う装置とは異なる装置である。また、特許文献２で開示されている装置は、個人が対象の物について所有或いは接触していた事を証明する際は、対象の物に付着している個人の指紋の痕跡を画像として読み取り、装置に画像として記憶して、個人からも指紋情報を画像として読み取り、指紋の画像同士の照合を行う必要がある。この場合、個人が対象の物の所有者であることを証明する為には、あらかじめ対象の物に対して指紋の痕跡を残す必要がある。しかし、指紋の痕跡は拭き取られたり、自然的に消失してしまう可能性もある。また、物から指紋画像を得る手段も一般的には困難である。
また出願人は、特許文献３、４（特開平８−７１１４８号、特開平９−７０３９８号）に、個人識別装置を開示した。これらの個人識別装置は、患者データの登録手段、読み取り手段、照合手段を、各ホストコンピュータ、端末機（パソコン）等により構成し管理室、採血室、手術室の各室毎に配置していたので、全体的に装置が大型化し、各ホストコンピュータ、端末機（パソコン）に電源コード等が必要なため、持ち運び、移動が困難であった。
【０００３】
現行の個人認証装置では、例えば前記特許文献４のように、照合対象物に個人属性及び指紋情報を含む個人情報を添付する手段として二次元バーコードを使用している。二次元バーコードは通常（一次元）のバーコードよりも情報の積載量に優れ、かつ印刷されるサイズも小さくてすむという利点がある。しかし、印刷するたびにシールラベルを消費し、裏紙などのごみが残る問題がある。また、印刷するシールラベルは二次元バーコードの印刷状態が水滴や熱などによって劣化しないように、照合対象物が保存される環境を考慮し、耐水性、耐熱性に優れる素材を使用したり、印刷を行いラベルを貼ったその上から更にＰＥ（ポリエチレン）などの透明なフィルムを防適材として貼る必要があった。
そこで本発明者らは以上の課題を解決するために鋭意検討を重ねた結果次の発明に到達した。
【０００４】
【特許文献１】
特開平５−３０９０８１号公報（段落番号［００２６から００２９］、図１から４）
【特許文献２】
特開昭６４−８８８８３号公報（第３頁、図１）
【特許文献３】
特開平８−７１１４８号公報（図１）
【特許文献４】
特開平９−７０３９８号公報（図１から３、請求項５）
【０００５】
【課題を解決するための手段】
［１］本発明は、個人の指紋の読み取り手段Ａ１と、前記指紋情報及び／又は個人情報もしくは属性情報を二次元バーコード形式に変換する手段Ｂ１と、前記二次元バーコードの印刷手段Ｃ１と、照合対象物に貼り付けた二次元バーコードラベルの読み取り手段Ｄ１と、個人の指紋と照合対象物に貼り付けた二次元バーコード化された指紋情報の照合手段Ｅ１と、前記指紋の照合結果の印刷手段Ｆ１からなる個人識別装置（１）を提供する。
［２］本発明は、前記指紋情報を二次元バーコード形式に変換する手段Ｂ１が装置本体（１１）であり、
前記個人の指紋の読み取り手段Ａ１及び該個人の指紋と照合対象物に貼り付けた二次元バーコード化された指紋情報の照合手段Ｅ１が指紋照合ユニット（２１）であり、
前記二次元バーコードの印刷手段Ｃ１及び前記指紋の照合の印刷手段Ｆ１がラベルプリンタ（４１）である［１］に記載の個人識別装置（１）を提供する。
［３］本発明は、装置本体（１１）と指紋照合ユニット（２１）と、前記装置本体（１１）に接続されるラベルプリンタ（４１）と、前記装置本体（１１）と前記作業管理用データベース（５１）を接続する本体接続器具（３１）と、作業管理用データベース（５１）とから構成される個人識別装置（１）を提供する。
［４］本発明は、前記装置本体（１１）は、コードスキャナ（１２）、表示部（１３）、記憶部（１４）、バッテリー（二次電池）（１５）、通信用部材（１６）を内蔵する［３］に記載の個人識別装置（１）を提供する。
［５］本発明は、前記指紋照合ユニット（２１）及び／又はラベルプリンタ（４１）は、バッテリー（二次電池）（２５、４５）を内蔵する［３］ないし［４］に記載の個人識別装置（１）を提供する。
［６］本発明は、前記ラベルプリンタ（４１）及び／又は前記作業管理用データベース（５１）は、通信用部材（４６、５６）を内蔵する［３］ないし［５］に記載の個人識別装置（１）を提供する。
［７］本発明は、個人の指紋の読み取り手段Ａ２と、前記指紋情報及び／又は個人情報等の属性からなる情報の入力手段Ｂ２と、情報記憶媒体に前記情報を書き込む手段Ｃ２と、情報記憶媒体或いは情報記憶媒体を貼り付けた照合対象物そのものに個人情報を文字及び／又は印で印字する手段Ｄ２と、照合対象物に貼り付けた情報記憶媒体の前記情報を読み取る手段Ｅ２と、個人の指紋と照合対象物に貼り付けた情報記憶媒体の前記情報を照合する手段Ｆ２と、前記情報の照合結果の印字手段Ｇ２と、前記手段Ａ２からＧ２の制御手段Ｈ２からなる個人識別装置（１０１）を提供する。
［８］本発明は、前記手段Ａ２からＨ２の作業記録管理手段Ｉ２を有する［７］に記載の個人識別装置（１０１）を提供する。
［９］本発明は、前記情報の入力手段Ｂ２と前記手段Ａ２からＧ２の制御手段Ｈ２が装置本体（１１１）であり、
個人の指紋の読み取り手段Ａ２及び、該情報と照合対象物に貼り付けた情報記憶媒体の指紋情報を照合する手段Ｆ２が指紋照合ユニット（１２１）であり、
前記情報を情報記憶媒体に書き込む手段Ｃ２及び、情報記憶媒体から前記情報を読み取る手段Ｅ２がリーダ／ライタ（１８１）であり、前記情報を印字する手段Ｄ２及び、前記指紋の照合結果の印字手段Ｇ２がマーカー（１４１）である［７］ないし［８］に記載の個人識別装置（１０１）を提供する。
［１０］本発明は、装置本体（１１１）と指紋照合ユニット（１２１）と、前記装置本体（１１１）に接続されるマーカー（１４１）と、前記装置本体（１１１）と前記作業管理用データベース（１５１）を接続する本体接続器具（１３１）と、前記装置本体（１１１）と指紋照合ユニット（１２１）に接続されるリーダ／ライタ（１８１）とから構成される個人識別装置（１０１）を提供する。
［１１］本発明は、作業管理用データベース（１５１）に接続した［１０］に記載の個人識別装置（１０１）を提供する。
［１２］本発明は、前記装置本体（１１１）は、表示部（１１３）、記憶部（１１４）、バッテリー（二次電池）（１１５）、通信用部材（１１６）を内蔵する［９］に記載の個人識別装置（１０１）を提供する。
【０００６】
【発明の実施の形態】
本発明の個人識別装置は、個人の指紋の読み取り手段Ａ１と、前記指紋情報及び／又はその他の情報、例えば作業日時や個人の氏名、識別番号等の属性情報もしくは登録した指の情報、対象の物の名称等の情報を二次元バーコード形式に変換する手段Ｂ１と、前記二次元バーコードの印刷手段Ｃ１と、照合対象物（例えば個人からの預物等）を貼り付けた二次元バーコードラベルの読み取り手段Ｄ１と、患者個人の指紋と照合対象物に貼り付けた二次元バーコード化された指紋の照合手段Ｅ１と、前記指紋の照合結果の印刷手段Ｆ１から構成される。
本発明で、前記指紋情報を二次元バーコード形式に変換する手段Ｂ１とは装置本体１１であり、前記個人の指紋の読み取り手段Ａ１及び該個人の指紋と照合対象物に貼り付けた二次元バーコード化された指紋の照合手段Ｅ１とは指紋照合ユニット２１であり、前記二次元バーコードの印刷手段Ｃ１及び前記指紋の照合の印刷手段Ｆ１とはラベルプリンタ４１であり、前記二次元バーコードラベルの読み取り手段Ｄとは、コードスキャナ１２である。
【０００７】
図１は、本発明の個人識別装置１の一例を示す概略図である。
個人識別装置１は、装置本体１１と指紋照合ユニット２１と、前記装置本体１１に接続されるラベルプリンタ４１と、前記装置本体１１と作業管理用データベース５１を接続する本体接続器具３１と、前記作業管理用データベース５１とから構成される。
前記装置本体１１は、コードスキャナ１２、表示部１３、記憶部１４、バッテリー（二次電池）１５、通信用部材１６を内蔵する。
前記コードスキャナ１２は、一次元（例えば作業者のバーコード）、二次元のバーコードを読み取ることができる。例えばレーザー式を採用すればバーコードに直接接触させる必要が無いので、操作が容易となる。
前記表示部１３は、例えば作業者の指ないし棒状の治具（スタイラスペン等）による命令の入力を可能とした液晶タッチパネルを採用し、該液晶画面上に例えば指紋情報の読み取り、二次元バーコードラベルの読み取り、読み取った指紋情報同士の照合、およびラベルの印刷などの命令を記したボタンまたはツールバーや、装置および作業者の入力ミスによるエラー状態を表示し、指ないし棒状の治具を使用して、作業者の命令および確認を受け取ることができる。また音を発生させるブザーを配置して、作業者に対して作業の完了を通知したり、警告音と共に装置によるエラー或いは作業者のミスを指摘させることができる。
前記記憶部１４は、本体１１内で動作するシステムを記憶させている。また、システムが行った作業全て（入力ミスなども含む）を『作業記録』として記憶させておく。記憶部１４は例えばフラッシュＲＯＭ等の不揮発メモリーを採用することができる。
前記バッテリー１５により、本体装置１１を無線で作動させることができ、本体装置１１を小型化し携帯可能にすることができる。バッテリー１５として、例えばリチウムイオン充電式等の二次電池を採用することができる。また本体装置１１に着脱可能でかつ交換可能な電池も採用することができる。後述するバッテリー２５、４５もバッテリー１５と同様のバッテリーを採用することができる。
前記通信用部材１６として例えば赤外線通信部材（ＩｒＤＡ）を内蔵することにより無線でラベルプリンタ４１との通信や別の装置本体１１および作業管理データベース５１との通信を行うことができる。また通常のケーブルＣや本体接続器具３１を採用することにより有線で通信を行うことができる。後述する通信用部材４６、５６も前記通信用部材１６と同様の通信用部材を採用することができる。
また通信コネクタ１７を配置することにより本体接続器具３１の通信コネクタ３７と接続することができる。
【０００８】
前記指紋照合ユニット２１は、装置本体１１からの命令によって動作する。指紋登録時には個人の指紋の読み取りを行い、読み取った指紋情報を暗号化し、装置本体１１に送信する。照合時には装置本体１１が読み取った二次元バーコードに保存されていた個人の指紋情報を装置本体１１から受け取り、暗号を解読し、新たに読み取った個人の指紋情報と照合させる。その後照合した結果を装置本体１１に返信する。バッテリー２５（二次電池）を内蔵してこれにより作動し、小型で携行することができる。
前記本体接続器具３１は、前記装置本体１１をしっかりと収容できる形状に形成されている。（例えば装置本体１１の収納溝を有しており、該収納溝に装置本体１１の通信コネクタ１７を接続する通信コネクタ３７を配置している。）
またケーブルＣで接続された作業管理用データベース５１へ本体１１に記憶されている作業記録を送ったり、本体１１のバッテリー１５（二次電池）に充電を行うことができる。
前記ラベルプリンタ４１は、前記装置本体１１と専用のケーブルＣ或いは本体接続器具３１を使用した有線接続、または内蔵した通信用部材４６により光通信、電波通信などの無線によって交信し、個人の指紋と属性が含まれる二次元バーコード、文字、名前、生年月日、作業日時、指紋を登録している指等を記したラベル或いは照合を行った結果およびその作業日時を記した文字等を記載したラベルの印刷を行う。またバッテリー４５（二次電池）を内蔵してこれにより作動し、小型で携行することができる。
【０００９】
前記作業管理用データベース５１は、例えば汎用のパソコンが使用され、ハードディスクなどの記憶媒体などにより、装置本体１１内蔵の記憶部１４に記憶されている装置本体１１が行った全ての作業記録を、本体接続器具３１や内蔵した通信用部材５６により無線通信を通して受け取り管理する。また個人データの入力装置６３（例えば、キーボード、磁気カードリーダ、コードスキャナ、ＩＣリーダ等）を接続して、個人属性情報や、対象の物の名称等を入力する。また個人ファイルの作成と作業者の管理も行うことができる。
またラベルプリンタ６１を接続して、作業者ラベル（名前、登録番号）を印刷することができる。
また複数の装置本体１１を用いている場合は、装置本体１１に番号を割り付け、どの装置本体１１で行った作業かを確認できるようにする。前記データベースではその記録を参照し、プリンタ６２では、個人属性情報を二次元バーコード化し、また文字により記した書式、装置本体１１の作業履歴とその詳細な内容を印刷することもできる。また管理システム施設内ネットワーク６４に接続して、関係者による閲覧も可能である。
【００１０】
本発明の個人識別装置は、個人の指紋の読み取り手段Ａ２と、前記指紋情報及び／又は個人情報等の属性からなる情報の入力手段Ｂ２と、情報記憶媒体に前記情報を書き込む手段Ｃ２と、情報記憶媒体或いは情報記憶媒体を貼り付けた照合対象物そのものに個人情報を文字及び／又は印（例えば顔写真など形状や色を目で見分けることができる情報等）で印字する手段Ｄ２と、照合対象物に貼り付けた情報記憶媒体の前記情報を読み取る手段Ｅ２と、個人の指紋と照合対象物に貼り付けた情報記憶媒体の前記情報を照合する手段Ｆ２と、前記情報の照合結果の印字手段Ｇ２と、前記手段Ａ２からＧ２の制御手段Ｈ２から構成される。さらに前記手段Ａ２からＨ２の作業記録管理手段Ｉ２を有する。
【００１１】
本発明において前記情報の入力手段Ｂ２と前記手段Ａ２からＦ２の制御手段Ｈ２とは装置本体１１１であり、個人の指紋の読み取り手段Ａ２及び、該情報と照合対象物に貼り付けた情報記憶媒体の指紋情報を照合する手段Ｆ２が指紋照合ユニット１２１であり、前記情報を情報記憶媒体に書き込む手段Ｃ２及び、情報記憶媒体から前記情報を読み取る手段Ｅ２がリーダ／ライタ１８１であり、前記情報を印字する手段Ｄ２及び、前記指紋の照合結果の印字手段Ｇ２がマーカー１４１である。
【００１２】
図２は、本発明の個人識別装置１０１の一例を示す概略図である。
個人識別装置１０１は、装置本体１１１と指紋照合ユニット１２１と、前記装置本体１１１に接続されるマーカー１４１と、前記装置本体１１１と作業管理用データベース１５１を接続する本体接続器具１３１と、リーダ／ライタ１８１と、前記作業管理用データベース１５１とから構成される。
前記装置本体１１１は、制御部１１２、表示部１１３、記憶部１１４、バッテリー（二次電池）１１５、通信用部材１１６を内蔵する。
前記表示部１１３は、例えば作業者の指ないし棒状の治具（スタイラスペン等）による命令の入力を可能とした液晶タッチパネルを採用し、該液晶画面上に例えば指紋情報の読み取り、情報記憶媒体１９１への書き込み、情報の印字、情報記憶媒体１９１の読み取り、読み取った指紋情報同士の照合、および結果の印字などの命令を記したボタンまたはツールバーや、装置および作業者の入力ミスによるエラー状態を表示し、指ないし棒状の治具を使用して、作業者の命令および確認を受け取ることができる。また音を発生させるブザーを内蔵して、作業者に対して作業の完了を通知したり、警告音と共に装置によるエラー或いは作業者のミスを指摘させることができる。
前記記憶部１１４は、本体１１１内で動作するシステム（装置本体１１１と、指紋照合ユニット１２１と、マーカー１４１と、リーダ／ライタ１８１の動作、を制御するアプリケーションソフト）を記憶させている。また、システムが行った作業全て（入力ミスなども含む）を履歴情報（作業記録）として記憶させておく。記憶部１１４は例えばフラッシュＲＯＭ等の不揮発メモリーを採用することができる。
前記バッテリー１１５により、本体装置１１１を無線で作動させることができ、本体装置１１１を小型化し携帯可能にすることができる。バッテリー１１５として、例えばリチウムイオン充電式等の二次電池を採用することができる。また本体装置１１１に着脱可能でかつ交換可能な電池も採用することができる。後述するバッテリー１２５、１４５、１８５もバッテリー１１５と同様のバッテリーを採用することができる。
前記通信用部材１１６として例えば赤外線通信部材（ＩｒＤＡ）を内蔵することにより無線でマーカー１４１との通信や別の装置本体１１１および作業管理データベース１５１との通信を行うことができる。また通常のケーブルＣや本体接続器具１３１を採用することにより有線で通信を行うことができる。後述する通信用部材１４６、１５６、１８６も前記通信用部材１１６と同様の通信用部材を採用することができる。
また通信コネクタ１１７を配置することにより本体接続器具１３１の通信コネクタ１３７と接続することができる。
【００１３】
前記指紋照合ユニット１２１は、装置本体１１１からの命令によって動作する。指紋登録時には個人の指紋の読み取りを行い、読み取った指紋情報を暗号化し、装置本体１１１に送信する。照合時には装置本体１１１が読み取った情報記憶媒体１９１に保存されていた個人の指紋情報を装置本体１１１から受け取り、暗号を解読し、新たに読み取った個人の指紋情報と照合させる。その後照合した結果を装置本体１１１に返信する。バッテリー１２５（二次電池）を内蔵してこれにより作動し、小型で携行することができる。また通信コネクタ１２７を配置することにより本体１１１とリーダ／ライタ１８１の通信コネクタ１１７、１８７と接続することができる。
前記本体接続器具１３１は、前記装置本体１１１をしっかりと収容できる形状に形成されている。（例えば装置本体１１１の収納溝を有しており、該収納溝に装置本体１１１の通信コネクタ１１７を接続する通信コネクタ１３７を配置している。）
またケーブルＣで接続された作業管理用データベース１５１へ本体１１１に記憶されている作業記録を送ったり（情報通信）、本体１１１のバッテリー１１５（二次電池）に充電を行うことができる。
前記マーカー１４１は、前記装置本体１１１と専用のケーブルＣ或いは本体接続器具１３１を使用した有線接続、または内蔵した通信用部材１４６により光通信、電波通信などの無線によって情報を受け取り、個人情報、対象の物の名称、作業日時等の属性となる情報を文字及び／又は印（例えば顔写真など形状や色を目で見分けることができる情報等）を照合対象物に貼り付けた情報記憶媒体１９１或いは照合対象物そのものに印字したり、照合を行った結果およびその作業日時を記した文字等の印字を行う。またバッテリー１４５（二次電池）を内蔵してこれにより作動し、小型で携行することができる。例えばインクジェットプリンタ等のマーキング機器が使用される。またＡＣ電源により動作する機種も使用することができる。
前記リーダ／ライタ１８１は、通信用部材１８６と、通信コネクタ１８７とバッテリー１８５（二次電池）を有し、通信コネクタ１８７により装置本体１１１から指紋情報及び個人情報などを受け取り、通信用部材１８６により情報記憶媒体１９１に対して前記情報の書き込みを行うことができる。また、通信用部材１８６により、情報記憶媒体１９１から前記情報を読み取り、通信コネクタ１８７により本体１１１に読み取った前記情報を送ることができる。バッテリー１８５（二次電池）により作動し、小型で携行することができる。
【００１４】
前記作業管理用データベース１５１は、例えば汎用のパソコンが使用され、ハードディスクなどの情報記憶媒体などにより、装置本体１１１内蔵の記憶部１１４に記憶されている装置本体１１１が行った全ての作業記録を、本体接続器具１３１や内蔵した通信用部材１５６により無線通信を通して受け取り管理する。また患者データの入力装置１６３（例えば、キーボード、磁気カードリーダ、コードスキャナ、ＩＣリーダ等）を接続して、個人の属性情報や対象の物の名称等を入力する。また個人ファイルの作成と作業者の管理も行うことができる。
またラベルプリンタ１６１を接続して、作業者ラベル（名前、登録番号）を印刷することができる。
また複数の装置本体１１１を用いている場合は、装置本体１１１に番号を割り付け、どの装置本体１１１で行った作業かを確認できるようにする。前記データベースではその記録を参照し、プリンタ１６２では、情報記憶媒体１９１に含まれていた一部の個人情報及び作業日時などの属性情報、また文字により記した書式、装置本体１１１の作業履歴とその詳細な内容を印刷することもできる。また管理システム施設内ネットワーク１６４に接続して、関係者による閲覧も可能である。
本発明に使用される情報記憶媒体１９１は、例えばラジオＩＣメモリー（例えばＥＰＲＯＭやＥＥＰＲＯＭなどの半導体メモリー）またはフラッシュメモリーが使用され、これらは例えばＰＥＴ（ポリエステル）等のプラスチック素材からなるシールラベル等に封入される。
【００１５】
次に、本発明の個人識別装置１の操作方法の一例について説明する。
（指紋登録作業：図３参照）
▲１▼指紋照合ユニット２１により個人の指紋７１を読み込む。
▲２▼読み取った▲１▼の指紋情報を指紋照合ユニット２１から装置本体１１に転送する。
▲３▼装置本体１１で自動的に割り当てられる数字と、その時点での日時が指紋情報と組み合わされ、バーコード形式に変換される。
▲４▼バーコード形式のデータはラベルプリンタ４１に送信され、ラベルプリンタ４１によってシールラベルに二次元バーコードラベル７２として印刷する。
▲５▼二次元バーコードラベル７２を照合対象物７０（個人の動産）に貼り付ける。
【００１６】
（指紋照合作業：図４参照）
▲１▼前記指紋登録作業で、照合対象物７０に貼り付けた二次元バーコードラベル７２を装置本体１１に内蔵されたコードスキャナ１２で読み取る。
▲２▼読み出された情報から指紋情報を採取し、指紋照合ユニット２１に転送する。
▲３▼読み出された情報から、個人の属性情報を表示部１３に表示する。また、登録を行った指の情報も同時に表示することで、照合に使用する指を指示する。
▲４▼指紋照合ユニット２１に個人の指紋を入力し、装置本体１１より転送された指紋情報と照合する。
▲５▼照合結果は、装置本体１１に転送され、表示部１３にその結果を表示する。
▲６▼照合結果は、その作業を行った時点の日時と共にプリンタによって印字することができる。
【００１７】
【発明の作用効果】
（１）個人は自分の指紋を情報化するだけであるため、符号の記載されたカードなどを所持する必要が無いため、照合手段を紛失する心配が無い。
ホテルのフロントなどで外出する際に預ける鍵や、自動車の鍵などにも貼り付けることにより、他人が本人になりすまして部屋に侵入したり、自動車を盗用することを防ぐことが出来る。
個人の指紋情報は、一生不変であるため、喪失しない限り長期間物を預けても、照合手段を失うことが無い。
（２）本発明の個人識別装置は個人の指紋情報をバーコードやフラッシュメモリーなどの情報媒体に記憶し、対象の物に添付或いは埋め込む事で、例えば特許文献２のように物に付随する指紋情報を喪失してしまう可能性が少なく、装置に備わっているコードスキャナあるいはリーダによって容易に指紋情報を得ることができる。
（３）本発明の個人識別装置では、
▲１▼装置全体を小型化軽量化し、また、装置本体、指紋照合ユニット、ラベルプリンタをバッテリーで作動させることにより、携帯可能にすることができる。
▲２▼また、装置本体は無線による通信部材を内蔵することにより、作業記録の共有を必要時何時いかなる場所でも行うことができる。
（４）▲１▼ラジオＩＣメモリー（例えばＥＰＲＯＭやＥＥＰＲＯＭなどの半導体メモリー）またはフラッシュメモリー等の記憶素子は、情報の入出力が二次元バーコードラベルを用いたシステムよりも情報の書き込み／読み取り時間が短く、操作方法も簡単であるため、作業効率が向上する。
▲２▼ラジオＩＣメモリー（例えばＥＰＲＯＭやＥＥＰＲＯＭなどの半導体メモリー）またはフラッシュメモリー等の記憶素子は、情報の書き換えを行うことができるため、場合によってはリユースすることも可能である。したがって無駄にごみを出さなくなる。
【図面の簡単な説明】
【図１】本発明の個人識別装置の概略図
【図２】本発明の個人識別装置の概略図
【図３】本発明の個人識別装置の使用例を示す概略図
【図４】本発明の個人識別装置の使用例を示す概略図
【符号の説明】
１  個人識別装置
１１  本体
１２  コードスキャナ
１３  表示部
１４  記憶部
１５  バッテリー
１６  通信用部材
１７  通信コネクタ
２１  指紋照合ユニット
２５  バッテリー
３１  本体接続器具
３７  通信コネクタ
４１  ラベルプリンタ
４５  バッテリー
４６  通信用部材
５１  作業管理用データベース
５６  通信用部材
６１  ラベルプリンタ
６２  プリンタ
６３  入力装置
６４  ネットワーク
７０  照合対象物
７１  個人の指紋
７２  二次元コードラベル
７３  照合結果ラベル
７４  作業者ラベル
Ｃ  ケーブル
１０１  個人識別装置
１１１  本体
１１２  コードスキャナ
１１３  表示部
１１４  記憶部
１１５  バッテリー
１１６  通信用部材
１１７  通信コネクタ
１２１  指紋照合ユニット
１２５  バッテリー
１２７  通信コネクタ
１３１  本体接続器具
１３７  通信コネクタ
１４１  マーカー
１４５  バッテリー
１４６  通信用部材
１５１  作業管理用データベース
１５６  通信用部材
１６１  ラベルプリンタ
１６２  プリンタ
１６３  入力装置
１６４  ネットワーク
１７０  照合対象物
１７１  個人の指紋
１７３  照合結果ラベル
１７４  作業者ラベル
Ｃ  ケーブル
１８１  リーダ／ライタ
１８５  バッテリー
１８６  通信用部材
１８７  通信コネクタ
１９１  情報記憶媒体
１９２  シールラベル
【図１】
2004199157.tif 000003
【図２】
2004199157.tif 000004
【図３】
2004199157.tif 000005
【図４】
2004199157.tif 000006